(57)【特許請求の範囲】
【請求項１】
吹き出し口に配置される上下風向変更羽根を有し、前記上下風向変更羽根が変動可能な腕部を介して上下方向の風向を制御する空気調和機の室内ユニットであって、リアガイダ上部に変動可能な中羽根を配置し、運転時は前記中羽根を回転軸を中心に回動させて前記吹き出し口よりも前方に突出させ、スタビライザの略同一平面もしくは略同一平面上よりも下方に向けて配置して運転し、運転停止時は前記上下風向変更羽根で前記吹き出し口を閉じ、前記中羽根は回転軸を中心に回動させて前面カバーとともに本体の前面開口部をカバーすることを特徴とする空気調和機の室内ユニット。
【請求項２】
上下風向変更羽をリアガイダの略同一平面となるように配置したことを特徴とする請求項１に記載の空気調和機の室内ユニット。
【請求項３】
中羽根の先端に上下風向変更羽根を配置することを特徴とする請求項１または２に記載の空気調和機の室内ユニット。
【請求項４】
中羽根と上下風向変更羽根のそれぞれの弦が平行もしくは下流に行くほど小さくなるように配置させて運転することを特徴とする請求項１〜３のいずれか１項に記載の空気調和機の室内ユニット。
【発明の詳細な説明】
【技術分野】
【０００１】
本発明は変動可能な腕部を介して制御される上下風向変更羽根を有する空気調和機の室内ユニットに関するものである。
【背景技術】
【０００２】
従来、この種の空気調和機の室内ユニットは、本体前面の吸込口を開閉するパネルと、吹き出し口に配置される上下風向変更羽根とを有し、本体前面の吸込口の吹き出し口側に中羽根を設け、パネル周辺から吸込口に流入する空気流れを中羽根の動作によって制御し、特に、冷気を上方向に吹き出した際に、その冷気を空気調和機が直接吸い込むこと（ショートサーキット）を防ぐために、中羽根を、その上端部が本体前面の吸込口から離間する方向に動作させている。
【０００３】
図６は、特許文献１に記載された従来の空気調和機の室内ユニットの水平吹出状態を示す横断面図である。図６に示すように、空気調和機の室内ユニットの本体１は、本体前面の吸込口１１を開閉するパネル３と、吹き出し口１０に配置される上下風向変更羽根９とを有し、本体前面の吸込口１１の吹き出し口１０側に中羽根６を有し、上下風向変更羽根は変動可能な腕部８を介して制御されている。
【特許文献１】特開２００７−１２０８９５号公報
【発明の開示】
【発明が解決しようとする課題】
【０００４】
しかしながら、前記従来の構成では、送風性能へ寄与するのは上下風向変更羽根のみであり、上下風向変更羽根が１枚構成であるため吹き出し口を出た瞬間に動圧回収が容易でなく、風量の増加に限界がある。従って、風量が低下するため気流を遠方まで導く際に限界があるという課題を有していた。
【０００５】
本発明は、前記従来の課題を解決するもので、送風性能の向上を可能とし、より遠方まで風を導くことができる空気調和機を提供することを目的とする。
【課題を解決するための手段】
【０００６】
前記従来の課題を解決するために、本発明の空気調和機の室内ユニットは、吹き出し口に配置される上下風向変更羽根を有し、前記上下風向変更羽根が変動可能な腕部を介して上下方向の風向を制御する空気調和機の室内ユニットであって、リアガイダ上部に変動可能な中羽根を配置し、運転時は前記中羽根を回転軸を中心に回動させて前記吹き出し口よりも前方に突出させ、スタビライザの略同一平面もしくは略同一平面上よりも下方に向けて配置して運転し、運転停止時は前記上下風向変更羽根で前記吹き出し口を閉じ、前記中
羽根は回転軸を中心に回動させて前面カバーとともに本体の前面開口部をカバーすることにより、吹き出し口を出た後、上下風向変更羽根と中羽根で流路を形成して動圧回収が容易となるために風量の増加につながり気流制御できるので、送風性能の向上を可能とし、より遠方まで風を導くことができたものである。
【発明の効果】
【０００７】
本発明の空気調和機の室内ユニットは、中羽根をスタビライザの延長もしくはそれより下方向に配置することにより、風量を増加し、また、下向きの気流を作り出すことが容易となるので、送風性能の向上を可能とし、より遠方まで風を導くことができ、より快適な空調環境を提供することができる。
【発明を実施するための最良の形態】
【０００８】
第１の発明は、吹き出し口に配置される上下風向変更羽根を有し、前記上下風向変更羽根が変動可能な腕部を介して上下方向の風向を制御する空気調和機の室内ユニットであって、リアガイダ上部に変動可能な中羽根を配置し、運転時は前記中羽根を回転軸を中心に回動させて前記吹き出し口よりも前方に突出させ、スタビライザの略同一平面もしくは略同一平面上よりも下方に向けて配置して運転し、運転停止時は前記上下風向変更羽根で前記吹き出し口を閉じ、前記中羽根は回転軸を中心に回動させて前面カバーとともに本体の前面開口部をカバーすることにより、吹き出し口より吹き出る風の動圧回収が容易となるために、送風性能を向上させることが出来る。また、下向きの気流を作り出すことが容易となる。
【０００９】
第２の発明は、特に、第１の発明の上下風向変更羽をリアガイダの略同一平面となるように配置することにより、吹き出し口全体が伸びたような形状となり、スタビライザのみならずリアガイダでも動圧回収が可能となるため、送風性能をさらに向上させることが可能となる。
【００１０】
第３の発明は、特に、第１または第２の発明の中羽根の先端に上下風向変更羽根を配置することにより、中羽根が長くなるのと同じ働きをするため、前述の動圧回収および下向きの気流を作り出す効果がさらに向上する。
【００１１】
第４の発明は、特に第１〜３のいずれか１つの発明の中羽根と上下風向変更羽根のそれぞれの弦が平行もしくは下流に行くほど小さくなるように配置させて運転することにより、吹き出る空気が絞られ、まとまった気流として吹き出す事が出来るため、特定の箇所を狙うスポット気流としての効果が得られる。また、吹き出しを絞るため、吹き出る風速も大きくなり、到達性も向上する。
【００１２】
以下、本発明の各実施の形態について、図面を参照しながら説明する。なお、この実施の形態によって本発明が限定されるものではない。
【００１３】
（実施の形態１）
図１は、本発明の第１の実施の形態における空気調和機の室内ユニット外観斜視図を示す。図１において、本体１は台枠２とこの台枠２の前方に取り付けられた前面カバー３とからなり、台枠２および前面カバー３の上部には、吸い込みグリル４が設けられている。
【００１４】
前面カバー３及び吸い込みグリル４で覆われている吸込口から室内空気を吸込み、本体１内部で熱交換した後、吹き出し口１０から空調風として室内へ吹き出す。
【００１５】
図２は、図１のＡ−Ａ断面における本発明の第１の実施の形態における吹き出し口付近の要部拡大断面図を示す。図２において、空気調和機の本体１の吹き出し口１０はスタビライザ５とリアガイダ７、そして上下風向変更羽根９、上下風向変更羽根９を先端に保持する腕部８などより成り立っている。また、熱交換器と送風ファン、および左右方向風向変更羽根や熱交換温度検出器、マイクロコンピュータなども空気調和機１の構成要素となっている。
【００１６】
図２に示されるように、空気調和機の運転時にリアガイダ７上部に搭載された中羽根６がスタビライザ５の延長となるよう配置する構成としている。これにより、中羽根６がスタビライザ５の働きをするためにスタビライザ５の見かけ上の長さが長くなり、吹き出し口１０より吹き出る風の動圧回収が容易となる。このため、送風性能を向上させることが出来る。さらに図２に示すように、変動可能な腕部８を介した上下風向変更羽根９をリアガイダ７の延長となるよう配置することにより、あたかも吹き出し口１０全体が長くなったかのような形状となり、スタビライザ５のみならずリアガイダ７でも動圧回収が可能となるため、送風性能をさらに向上させることが可能となる。なお、中羽根６および上下風向変更羽根９、スタビライザ５の形状は問わない。
【００１７】
（実施の形態２）
図３、図４は、図１のＡ−Ａ断面における本発明の第２の実施の形態における吹き出し口付近の要部拡大断面図を示す。図３に示されるように、空気調和機の運転時にリアガイダ７上部に搭載された中羽根６がスタビライザ５の延長線上より下方に向けて配置されて
いる。このような形状とすることにより、この中羽根６が吹き出し口１０からスタビライザ５に沿って流れ出る風を下方向に押し付けるため、下向きの気流を生み出すことが容易となる。これは特に暖房時において足元に気流が届きやすくなるため有効である。
【００１８】
また、図４に示されるように、その中羽根６の先端につながる形で上下風向変更羽根９を配置することにより、この下向き気流をさらに作りやすいものとすることが出来る。また、この両方の羽根６、９をスタビライザ５の略同一平面上となるように配置した場合には、動圧回収効果が高くなるために送風性能を向上させることが出来る。
【００１９】
（実施の形態３）
図５は、図１のＡ−Ａ断面における本発明の第３の実施の形態における吹き出し口付近の要部拡大断面図を示す。図５に示されるように、中羽根６と上下風向変更羽根９のそれぞれの弦が平行もしくは下流に行くほど小さくなるよう配置することにより、吹き出る空気が絞られ、まとまった気流として吹き出すことが可能となる。このような形状では、特定の箇所を狙うスポット気流としての効果が高くなる。また、空気を絞るため、吹き出る風速も大きくなるために、到達性も向上する。さらに、中羽根を可動可能な腕を解する構成とすることにより、特にこの中羽根６が湾曲した形状であるときに、運転状況により上に凸もしくは下に凸と変更することが出来るため、風向制御の幅が広がる。
【産業上の利用可能性】
【００２０】
以上のように、本発明にかかる空気調和機の室内ユニットは、送風性能の高効率化および風向性能を向上させることが可能となるので、軸流式の送風機等の用途にも適用できる。
【図面の簡単な説明】
【００２１】
【図１】本発明の実施の形態１における空気調和機の室内ユニット外観斜視図
【図２】本発明の実施の形態１における吹き出し口付近の要部拡大断面図（図１のＡ−Ａ断面）
【図３】本発明の実施の形態２における吹き出し口付近の要部拡大断面図（図１のＡ−Ａ断面）
【図４】本発明の実施の形態２における吹き出し口付近の要部拡大断面図（図１のＡ−Ａ断面）
【図５】本発明の実施の形態３における吹き出し口付近の要部拡大断面図（図１のＡ−Ａ断面）
【図６】従来の空気調和機の室内ユニットの水平吹出状態を示す横断面図
【符号の説明】
【００２２】
１  本体
２  台枠
３  前面カバー
４  吸い込みグリル
５  スタビライザ
６  中羽根
７  リアガイダ
８  腕部
９  上下風向変更羽根
１０  吹き出し口
１１  吸込口
【図１】
0005309669.tif 000002
【図２】
0005309669.tif 000003
【図３】
0005309669.tif 000004
【図４】
0005309669.tif 000005
【図５】
0005309669.tif 000006
【図６】
0005309669.tif 000007